(57)【特許請求の範囲】
【請求項１】
遊技機に対応して設けられる遊技用装置であって、
遊技島の設置部に固定され、前側が開放するホルダ部と、
前記ホルダ部に前側から挿入されて保持される装置ユニットと、
前記ホルダ部の背板の後側に少なくとも一部が配置される電気部品と、
を備え、
前記電気部品は、
前記ホルダ部の前側から挿入されることにより前記ホルダ部の背板に前側から取付け可能であり、
前記ホルダ部に配置した状態で前記装置ユニットを挿入することで該装置ユニットと電気的に接続される第１コネクタと、
前記ホルダ部に配置した状態で前記装置ユニット以外の装置と接続される第２コネクタと、
を有し、
前記第１コネクタに接続される前記装置ユニットと前記第２コネクタに接続される前記装置ユニット以外の装置とを接続する中継器であり、前記ホルダ部に配置した状態で、該ホルダ部の背板より後側に少なくとも前記第２コネクタが配置され、
前記中継器は、前記ホルダ部の背板から取外して前記第２コネクタに接続されている配線を前記ホルダ部の内部に引き込んだ状態で、前記ホルダ部の内部にて左右方向に回転させて前記第２コネクタと該第２コネクタに接続されている配線との接続を解除可能である、
ことを特徴とする遊技用装置。
【発明の詳細な説明】
【技術分野】
【０００１】
本発明は、遊技機に対応して設けられる遊技用装置に関する。
【背景技術】
【０００２】
この種の遊技用装置としては、例えば、遊技場に設置される遊技機に対応して設けられ、スロットマシンやパチンコ遊技機等の遊技機にて使用するメダルや遊技球等の遊技媒体を貸出す貸出処理機能や、遊技者が遊技を行った結果獲得した獲得遊技媒体を計数装置により計数して遊技者所有の遊技媒体数として加算更新する計数処理機能を備えるもの等がある。
【０００３】
この種の遊技用装置として、例えば、遊技島等に固定されるホルダ部と、ホルダ部に保持される装置ユニット（例えば、カードリーダライタ、制御器、紙幣識別機など）と、を備え、装置ユニットをホルダ部に差し込むと、該装置ユニットがホルダ部の後面に固定された中継器（電気部品）にコネクタを介して接続され、隣接する遊技機や管理コンピュータ等に接続されるもの等があった（例えば、特許文献１参照）。
【先行技術文献】
【特許文献】
【０００４】
【特許文献１】特開２００５−３４２２４２号公報
【発明の概要】
【発明が解決しようとする課題】
【０００５】
上記特許文献１に記載の遊技用装置において、例えば、装置ユニットが故障するなど不具合が生じた場合、装置ユニットをホルダ部から前側へ引き出すことでメンテナンスや交換作業等を行うことができるが、ホルダ部の後面に固定された中継器（電気部品）はホルダ部の後面に配置されていることで、この中継器自体や、隣接する遊技機や管理コンピュータとのコネクタ接続等に何らかの不具合が生じた場合、ホルダ部の前面側からメンテナンスや交換作業等を行うことはできない。また、遊技用装置の周囲には遊技機が設置されていることで、ホルダ部自体または隣接する遊技機を遊技島から取外すなどしてホルダ部の後面側から中継器を取外す必要があるため、作業が大掛かりになり、営業期間中に対処することが困難であるという問題があった。
【０００６】
本発明は、このような問題点に着目してなされたもので、メンテナンスや交換作業を簡単に行うことができる遊技用装置を提供することを目的とする。
【課題を解決するための手段】
【０００７】
前記課題を解決するために、本発明の請求項１に記載の遊技用装置は、
遊技機に対応して設けられる遊技用装置であって、
遊技島の設置部に固定され、前側が開放するホルダ部と、
前記ホルダ部に前側から挿入されて保持される装置ユニットと、
前記ホルダ部の背板の後側に少なくとも一部が配置される電気部品と、
を備え、
前記電気部品は、
前記ホルダ部の前側から挿入されることにより前記ホルダ部の背板に前側から取付け可能であり、
前記ホルダ部に配置した状態で前記装置ユニットを挿入することで該装置ユニットと電気的に接続される第１コネクタと、
前記ホルダ部に配置した状態で前記装置ユニット以外の装置と接続される第２コネクタと、
を有し、
前記第１コネクタに接続される前記装置ユニットと前記第２コネクタに接続される前記装置ユニット以外の装置とを接続する中継器であり、前記ホルダ部に配置した状態で、該ホルダ部の背板より後側に少なくとも前記第２コネクタが配置され、
前記中継器は、前記ホルダ部の背板から取外して前記第２コネクタに接続されている配線を前記ホルダ部の内部に引き込んだ状態で、前記ホルダ部の内部にて左右方向に回転させて前記第２コネクタと該第２コネクタに接続されている配線との接続を解除可能である、
ことを特徴としている。
本発明の手段１の遊技用装置は、
遊技機（例えば、スロットマシン１）に対応して設けられる遊技用装置（例えば、メダル貸出機１００）であって、
前側が開放するホルダ部（例えば、ホルダ１０１）と、
前記ホルダ部に前側から挿入されて保持される装置ユニット（例えば、紙幣識別ユニット１８０、制御ユニット１８１、払出ユニット１８２、計数ユニット１９０など）と、
前記ホルダ部の後面側に少なくとも一部が配置される電気部品（例えば、中継器２３０は、背板１０１Ｅの前面側に取付けた状態において、背面側の複数の基板側コネクタＫＣＮ２は、開口２２２を介して背板１０１Ｅの上板部２２１Ａよりも背面側に配置される（図３参照）。また、電源ユニット１９８は、支持板２７０Ａ，２７０Ｂの段部２７１に設置した状態において、上面側の複数の電源側コネクタＤＣＮ３は、背板１０１Ｅよりも背面側に配置される（図３参照）。）と、
を備え、
前記電気部品は、前記ホルダ部の前側から取付け可能であり、前記ホルダ部に配置した状態で前記装置ユニットを挿入することで該装置ユニットと電気的に接続される（例えば、紙幣識別ユニット１８０及び制御ユニット１８１は、ホルダ１０１の前側から内部に挿入し、支持板２０１上をスライドさせて奥側へ押し込むことで、ユニット側コネクタＹＣＮ１が基板側コネクタＫＣＮ１に電気的に接続される。払出ユニット１８２は、ホルダ１０１の前側から内部に挿入し、支持板２０２上をスライドさせて奥側へ押し込むことで、ユニット側コネクタＹＣＮ２が電源側コネクタＤＣＮ１に電気的に接続される。計数ユニット１９０は、ホルダ１０１の前側から内部に挿入し、底板１０１Ｄ上をスライドさせて奥側へ押し込むことで、ユニット側コネクタＹＣＮ３が電源側コネクタＤＣＮ２に電気的に接続される。（図４、図９参照））
ことを特徴としている。
この特徴によれば、装置ユニットをホルダ部の前側から挿入するだけで該装置ユニットが電気部品に接続されるため、接続作業が容易になる。また、装置ユニットを前側に引き出すことで電気部品をホルダ部の前側から取外すことが可能となるので、ホルダ部の後面側にて電気部品に不具合が生じた場合でも容易に対処することができる。
【０００８】
本発明の手段２の遊技用装置は、手段１に記載の遊技用装置であって、
遊技場に設置される遊技島（例えば、遊技島１０００）に前記遊技機（例えば、スロットマシン１）に対応して設置され（図１２参照）、
前記遊技機は、前側が開放する筐体（例えば、筐体１ａ）と、該筐体の前面開口を開閉可能な開閉扉（例えば、前面扉１ｂ）と、を有する
ことを特徴としている。
この特徴によれば、対応する遊技機の開閉扉を開放してもホルダ部の後面側にアプローチすることが困難な環境においても、ホルダ部の後面側にて電気部品に不具合が生じた場合に容易に対処することができる。
【０００９】
本発明の手段３の遊技用装置は、手段１または２に記載の遊技用装置であって、
前記電気部品（例えば、中継器２３０、電源ユニット１９８）と前記装置ユニット（例えば、紙幣識別ユニット１８０、制御ユニット１８１、払出ユニット１８２、計数ユニット１９０）とは、フローティングコネクタ（例えば、ユニット側コネクタＹＣＮ１〜ＹＣＮ３）を介して電気的に接続される
ことを特徴としている。
この特徴によれば、電気部品と装置ユニットとを接続する際に、フローティングコネクタが可動して嵌合ずれを吸収するので、ホルダ部の前側からしか挿入できない状況でも簡単にコネクタ接続することができる。
【００１０】
本発明の手段４の遊技用装置は、手段１〜３のいずれかに記載の遊技用装置であって、
前記電気部品は中継基板（例えば、中継基板２３１）を有し、
前記装置ユニットは所定の制御部を有する制御装置ユニット（例えば、制御ユニット１８１）である
ことを特徴としている。
この特徴によれば、制御装置ユニットと他の装置ユニットとを中継基板を介して容易に接続または解除することができる。
【００１１】
本発明の手段５の遊技用装置は、手段１〜４のいずれかに記載の遊技用装置であって、
前記電気部品は電源ユニット（例えば、電源ユニット１９８）であり、
前記装置ユニットは、
前記遊技機（例えば、スロットマシン１）にて使用可能な遊技媒体（例えば、メダルＭ）を計数可能な計数装置ユニット（例えば、計数ユニット１９０）と、
遊技媒体を払出し可能な払出装置ユニット（例えば、払出ユニット１８２）と、
を含み、
前記計数装置ユニットと前記払出装置ユニットとは、上下に並設される（図１１（Ａ）参照）
ことを特徴としている。
この特徴によれば、計数装置ユニットと払出装置ユニットとを電源ユニットの前側に配置することで、電源ユニットを計数装置ユニットの上方または下方に配置する場合に比べて計数装置ユニット及び払出装置ユニットの上下寸法を長くすることができるため、各々の遊技媒体の受け入れ量を増大させることができる。
【００１２】
本発明の手段６の遊技用装置は、手段５に記載の遊技用装置であって、
前記ホルダ部（例えば、ホルダ１０１）における前記電源ユニット（例えば、電源ユニット１９８）の下方に、前記計数装置ユニット（例えば、計数ユニット１９０）にて計数された遊技媒体（例えば、メダルＭ）を排出する排出経路を形成する空間部（例えば、空間部Ｓ）が設けられている（図７参照）
ことを特徴としている。
この特徴によれば、電源ユニットを後部に配置する場合であっても、遊技媒体の排出経路を後方に寄せることができる。
【００１３】
本発明の手段７の遊技用装置は、手段６に記載の遊技用装置であって、
前記排出経路から排出された遊技媒体（例えば、メダルＭ）は所定の回収部（例えば、メダル回収装置１１００）に落下するものであり、
前記回収部へ遊技媒体が落下したときの衝撃を緩和する衝撃緩和手段（例えば、ガイド部材２８０，２９０）を備える
ことを特徴としている。
この特徴によれば、遊技媒体が落下したときの衝撃により回収部が破損することを抑制できる。
【００１４】
本発明の手段８の遊技用装置は、手段７に記載の遊技用装置であって、
前記衝撃緩和手段には、接地部材が接続されている（例えば、ガイド部材２８０，２９０や底板１０１Ｄ等にアース線を接続するなど）
ことを特徴としている。
この特徴によれば、遊技媒体の接触により生じる静電気を逃がすことができるため、静電気により計数装置ユニットが故障することを抑制できる。
【００１５】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１６】
【図１】実施例における遊技用システムの全体像を示すシステム構成図である。
【図２】スロットマシン及びメダル貸出機を示す正面図である。
【図３】メダル貸出機の内部機構を示す左側面図である。
【図４】メダル貸出機の構成を示す分解斜視図である。
【図５】ホルダに取付けられる各種部材を示す分解斜視図である。
【図６】（Ａ）は中継器を斜め前から見た状態を示す斜視図、（Ｂ）は中継器を斜め後ろから見た状態を示す斜視図である。
【図７】（Ａ）は計数装置から排出されたメダルの排出経路を示す概略図、（Ｂ）はメダルの排出経路を切り替えた状態を示す概略図である。
【図８】（Ａ）は計数装置から払い出されたメダルの排出状況を示す斜視図、（Ｂ）（Ｃ）は衝撃緩和手段の他の例を示す斜視図である。
【図９】（Ａ）〜（Ｃ）は中継器の取外し方の一例を示す概略説明図である。
【図１０】（Ａ）（Ｂ）は電源ユニットの取外し方の一例を示す概略説明図である。
【図１１】（Ａ）は本実施例の払出装置、計数装置、電源ユニットの配置態様を示す概略説明図、（Ｂ）は他の配置態様を示す概略説明図である。
【図１２】（Ａ）は遊技島にスロットマシンとメダル貸出機が設置された状態を示す正面図、（Ｂ）は遊技島の概略横断面図である。
【発明を実施するための形態】
【００１７】
本発明の実施例を図面に基づいて以下に説明する。
【実施例】
【００１８】
本発明の遊技用装置の実施例を図面に基づいて説明する。図１は、本発明の実施例としての遊技用装置を含む遊技用システムの全体像を示すシステム構成図である。遊技場内に複数配置される各遊技島１０００（遊技機設置島、図１２参照）に並設される遊技機であるスロットマシン１と、スロットマシン１の所定側の側方位置に該スロットマシン１に対して１対１に対応して設置され、主に会員登録をしていない一般の遊技者を対象として発行される遊技用記録媒体であるプリペイド機能を備えるビジターカード（計数記録媒体）や、該遊技機に会員登録した会員遊技者に対して発行される遊技用記録媒体である会員カード（計数記録媒体）を受付けて、遊技機における遊技に使用される遊技媒体であるメダルを貸出すための処理や、対応するスロットマシン１における遊技にて獲得されたメダルを計数するとともに、該計数済みのメダル数の範囲内のメダルの払出し（返却）を行う本発明の遊技用装置であるメダル貸出機１００と、メダル貸出機１００にて使用されるビジターカードや会員カード並びにメダル貸出機１００の管理等を行うカード管理コンピュータ５００と、各メダル貸出機１００において計数された計数済メダル数の管理や、会員カードを所持する会員遊技者が再度の遊技に使用可能に所有する貯蓄メダル数やビジターカードに記録された持ちメダル数の管理を行う本発明の管理装置であるメダル管理コンピュータ５５０と、遊技場内に設置された各スロットマシン１の台データ等の遊技情報を管理するホールコンピュータ５４０と、から主に構成されている。
【００１９】
尚、本実施例では、カード管理コンピュータ５００とメダル管理コンピュータ５５０とホールコンピュータ５４０とは、それぞれ別個のコンピュータにて形成されているが、これら全てのコンピュータが一のコンピュータにて形成されていてもよいし、これらのうちいずれか２つのコンピュータが一のコンピュータにて形成されていてもよい。
【００２０】
そして、これら本実施例の遊技用システムを構成する各装置は、図１に示すように、ハブ（ＨＵＢ）７０並びに通信ケーブル８０を介して双方向のデータ通信が可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されているこれら各装置には、当該装置を個々に識別可能な装置ＩＤが付与されているとともに、各装置が装置（ユニット）ＩＤとローカルＩＰアドレスとが対応付けられたＩＰアドレステーブルや後述するユニット管理テーブル（図示略）等を有することで、該装置（ユニット）ＩＤから特定される各ローカルＩＰアドレスを送信データに付与して送受信することにより、互いにデータの送受を実行できるようになっている。
【００２１】
尚、本実施例のカード管理コンピュータ５００は、上述したように、各会員カード並びに各ビジターカードに残存するプリペイド残額（遊技用価値）を管理しているとともに、通信回線８１を介して、これら会員カードやビジターカードを管理する遊技場外のカード管理会社に設置された管理サーバ８２と双方向のデータ通信を実行できるように接続されていて、これら管理サーバ８２に対してカード管理コンピュータ５００から、各種の管理情報が送信されることにより、カード管理会社は、該管理サーバ８２にて各遊技場の会員カード並びにビジターカードによる売り上げ等を把握できるようになっている。
【００２２】
また、本実施例のホールコンピュータ５４０には、図１に示すように、遊技場内を監視するための監視カメラシステム２１が接続されており、該監視カメラシステム２１にて撮像された遊技場内の監視画像が、各スロットマシン１の台データ等とともに記憶、管理されるようになっている。更に、本実施例のホールコンピュータ５４０には、遊技場の店員が使用するインカム１１を制御する無線放送システム２０が接続されており、ホールコンピュータ５４０は、無線放送システム２０を介して店員のインカム１１に対し、自動音声メッセージを送信することができる。
【００２３】
次に、本実施例に用いた遊技機の一例であるスロットマシン１について説明する。図２に示すように、スロットマシン１は、遊技場内に複数配置される遊技島１０００（図１２参照）に複数並設されており、前面が開口する筐体１ａと、この筐体１ａの左側辺に回動自在に枢支された前面扉１ｂと、から構成されている。筐体１ａの内部上方位置には、外周に複数種類の図柄が配列されたリール２Ｌ，２Ｃ，２Ｒが水平方向に並設されており、これらリール２Ｌ，２Ｃ，２Ｒに配列された図柄のうち連続する３つの図柄が透視窓３から見えるように配置されている。
【００２４】
スロットマシン１においてゲーム（遊技）を行う場合には、まず、円盤状の遊技媒体の一例であるメダルＭをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ１〜Ｌ５が有効となり、スタートスイッチ７の操作が有効な状態、すなわち、ゲームが開始可能な状態となる。本実施例では、規定数の賭数として遊技状態に関わらず３枚が定められて規定数の賭数が設定されると入賞ラインＬＮ１〜ＬＮ５が有効となる。尚、遊技状態に対応する規定数のうち最大数を超えてメダルＭが投入された場合には、その分はクレジットに加算される。
【００２５】
入賞ラインとは、各リール２Ｌ，２Ｃ，２Ｒの透視窓３に表示された図柄の組合せが入賞図柄の組合せであるかを判定するために設定されるラインである。ここでは、リール２Ｌ，２Ｃ，２Ｒの下段に並んだ図柄に跨って設定された入賞ラインＬＮのみが入賞ラインとして定められている。尚、本実施例では入賞ラインを１本としているが、複数の入賞ラインを定めても良い。
【００２６】
ゲームが開始可能な状態でスタートスイッチ７を操作すると、各リール２Ｌ，２Ｃ，２Ｒが回転し、各リール２Ｌ，２Ｃ，２Ｒの図柄が連続的に変動する。この状態でいずれかのストップスイッチ８Ｌ，８Ｃ，８Ｒを操作すると、対応するリール２Ｌ，２Ｃ，２Ｒの回転が停止し、透視窓３に表示結果が導出表示される。
【００２７】
そして全てのリール２Ｌ，２Ｃ，２Ｒが停止されることで１ゲームが終了し、入賞ラインＬＮ１〜ＬＮ５のいずれかに予め定められた図柄の組合せ（役とも呼ぶ）が各リール２Ｌ，２Ｃ，２Ｒの表示結果として停止した場合には入賞が発生し、その入賞に応じて定められた枚数のメダルＭが遊技者に対して付与され、クレジットに加算される。また、クレジットが上限数（例えば、５０）に達した場合には、メダルＭが直接メダル払出口９から前面扉１ｂの下部に前方に突出するように設けられた下皿５に払い出されるようになっている。また、入賞ラインＬＮ１〜ＬＮ５のいずれかに、遊技状態の移行を伴う図柄の組合せが各リール２Ｌ，２Ｃ，２Ｒの表示結果として停止した場合には、図柄の組合せに応じた遊技状態（例えば、レギュラーボーナスやビッグボーナスボーナス等）に移行するようになっている。
【００２８】
次に、メダル貸出機１００について、図２〜図１２に基づいて説明する。図２は、スロットマシン及びメダル貸出機を示す正面図である。図３は、メダル貸出機の内部機構を示す左側面図である。図４は、メダル貸出機の構成を示す分解斜視図である。図５は、ホルダに取付けられる各種部材を示す分解斜視図である。図６は、（Ａ）は中継器を斜め前から見た状態を示す斜視図、（Ｂ）は中継器を斜め後ろから見た状態を示す斜視図である。図７は、（Ａ）は計数装置から排出されたメダルの排出経路を示す概略図、（Ｂ）はメダルの排出経路を切り替えた状態を示す概略図である。図８は、（Ａ）は計数装置から払い出されたメダルの排出状況を示す斜視図、（Ｂ）（Ｃ）は衝撃緩和手段の他の例を示す斜視図である。図９は、（Ａ）〜（Ｃ）は中継器の取外し方の一例を示す概略説明図である。図１０は、（Ａ）（Ｂ）は電源ユニットの取外し方の一例を示す概略説明図である。図１１は、（Ａ）は本実施例の払出装置、計数装置、電源ユニットの配置態様を示す概略説明図、（Ｂ）は他の配置態様を示す概略説明図である。図１２は、（Ａ）は遊技島にスロットマシンとメダル貸出機が設置された状態を示す正面図、（Ｂ）は遊技島の概略横断面図である。
【００２９】
尚、以下において、図１の手前側をメダル貸出機１００の前方（前面、正面）側、奥側を背面（後方）側とし、メダル貸出機１００を前面側から見たときの上下左右方向を基準として説明する。尚、本実施例におけるメダル貸出機１００の前面とは、該メダル貸出機１００に対応するスロットマシン１にて遊技を行う遊技者と対向する対向面である。
【００３０】
図２に示すように、メダル貸出機１００は、スロットマシン１に１対１に対応するように設けられている。また、本実施例では、メダル貸出機１００はスロットマシン１に１対１に対応するように設けられているが、例えば、メダル貸出機１００を複数台のスロットマシン１に対応するように設け、１台のメダル貸出機１００を複数台のスロットマシン１にて共用してもよい。
【００３１】
メダル貸出機１００は、スロットマシン１の所定側（本実施例では、スロットマシン１の正面に向かって右側）の側方位置に対応設置され、紙幣、または会員登録をしていない一般の遊技者に対して発行される遊技用記録媒体であるプリペイド機能を備えるビジターカードや、該遊技場に会員登録した会員遊技者に対して発行される遊技用記録媒体である会員カードを受付けて、遊技機における遊技に使用される円盤状の遊技媒体であるメダルＭを貸出すための処理と、遊技者がスロットマシン１での遊技にて獲得したメダルＭを受付けて、該受付けたメダルＭを計数するための処理と、該計数した獲得メダル枚数をビジターカードや会員カードから特定可能とするための処理等を行う。
【００３２】
尚、メダル貸出機１００は、メダル貸出機１００にて使用されるビジターカードや会員カード並びにメダル貸出機１００の管理等を行うカード管理コンピュータ５００や、貯蓄メダル数や持ちメダル数の管理を行うメダル管理コンピュータ５５０や、遊技場内に設置された各スロットマシン１の台データ等の遊技情報を管理するホールコンピュータ５４０等の各種のコンピュータと接続されており、これら各コンピュータとの間において双方向のデータ通信が可能とされている。
【００３３】
本実施例に使用されるビジターカード並びに会員カードには、種々のデータを記憶するための不揮発性メモリと、これら記録情報の書き換えや読み出しを実行するとともに、外部のリーダライタ装置との非接触通信を実行する制御部とを有するＩＣチップが搭載されたＩＣカードを使用しており、これらビジターカード並びに会員カードには、個々のカードを識別可能なカードＩＤ、具体的には、ビジターカードにはＶＣで始まるカードＩＤが、会員カードには、ＫＣで始まる会員カードＩＤが予め書き換え不能に記憶されていて、その種別がカードＩＤから識別可能とされているとともに、プリペイド残額を特定可能なプリペイド残額データ等の各種データが記憶されている。
【００３４】
尚、会員カードは、遊技場に会員登録を実行した会員遊技者に対して発行されるものであり、該会員に対して付与される会員ＩＤが書き換え不能に記憶されている。また、該会員カードを使用して会員遊技者は、一度獲得して計数したメダルＭをその翌日以降においても再度遊技に使用できる貯蓄メダルを行うことができるようになっているが、これら会員カードには、該貯蓄メダルのデータである貯蓄メダル数は直接記録されておらず、これら貯蓄メダル数は、貯蓄メダルの情報を管理するメダル管理コンピュータ５５０において、カードＩＤと会員ＩＤとに対応付けて記憶されることで、該カードＩＤや会員ＩＤから特定されるようになっている。
【００３５】
また、貯蓄メダルと同様に、当日において計数された持ちメダルについても、メダル管理コンピュータ５５０において、カードＩＤと会員ＩＤと持ちメダルの情報が対応付けて記憶されることで、該カードＩＤや会員ＩＤから持ちメダルの数を特定できるようになっている。尚、これら持ちメダルについては、会員カードだけではなく、ビジターカードについても同様に、メダル管理コンピュータ５５０において、カードＩＤに対応付けて持ちメダルの情報が記憶されていて、ビジターカードには、持ちメダルの情報は記録されないようになっているが、本発明はこれに限定されるものではなく、ビジターカードにも、持ちメダルの情報を記憶して、メダル管理コンピュータ５５０の持ちメダルの情報とを照合できるようにしても良い。
【００３６】
また、ビジターカードは、遊技場内に設置された図示しないカード発行・入金機にて、購入、発行されるとともに、メダル貸出機１００においても発行される。
【００３７】
図２及び図３に示すように、本実施例のメダル貸出機１００は、正面視縦長長方形状をなす前面が開口するホルダ１０１と、ホルダ１０１内に前側から挿入され保持される各種装置ユニット（例えば、紙幣識別装置を含む紙幣識別ユニット１８０、制御装置を含む制御ユニット１８１、払出装置を含む払出ユニット１８２、計数装置を含む計数ユニット１９０といったと、から構成されている。また、ホルダ１０１は、前面開口上部はカバー体１０２Ａにより閉鎖され、前面開口下部はカバー体１０２Ｂにより閉鎖され、前面開口中央部はメダル補給扉１３０によりそれぞれ閉鎖されている。
【００３８】
図２に示すように、カバー体１０２Ａの前面には、フルカラーＬＥＤにより構成されて複数の色に点灯することでメダル貸出機１００の状態等を報知可能とされた状態報知ランプ１１１や、紙幣を挿入するための紙幣挿入口１１０や、会員カードやビジターカードを挿入するためのカード挿入口１１２が設けられている。
【００３９】
また、状態報知ランプ１１１の下方位置には、挿入中の会員カードやビジターカードを排出する返却ボタン１１４と、メダルＭの払い出しが行われる貸出ボタン１１６と、各種情報を表示可能な表示装置１１５と、会員カードを受付けた場合において、該会員カードに記録された会員カードＩＤ並びに会員ＩＤにより特定される貯蓄メダル数を用いた再プレイ遊技を実行するための再プレイボタン１２１と、が配設されている。
【００４０】
表示装置１１５の表示画面には、特に図示しないが、挿入中の会員カードやビジターカードのカード残高、該会員カードに記録された会員カードＩＤ並びに会員ＩＤにより特定される貯蓄メダル数、計数ユニット１９０にて計数された獲得メダル枚数、当日のうちに計数ユニット１９０にて計数された持ちメダル枚数、貸出単位メダル枚数、再プレイ遊技を実行する際に入力する暗証番号、エラーコード等を含む複数の情報や操作部が状況に応じて切替表示可能とされている。
【００４１】
カバー体１０２Ａの下方位置には、後述する貸出メダル貯留部１８３にメダルＭを補給する際にホルダ１０１の前面における上下方向の中央部を開放するためのメダル補給扉１３０が、下辺を回動軸（図示略）として開閉可能に設けられている。このメダル補給扉１３０は、遊技場の店員等が管理する所定の鍵（図示略）をメダル補給扉鍵１３１に差し込まない限り開放できないようになっている。
【００４２】
図３に示すように、メダル補給扉１３０の下方位置に設けられたカバー体１０２Ｂの前面には、遊技者が遊技により獲得したメダルＭを受け入れて計数するための受入部１４０が設けられているとともに、受入部１４０からは、受け入れたメダルＭを下方に誘導して計数ユニット１９０に導入するための導入経路を構成する導入経路カバー１４１が下方に向けて延設されている。また、受入部１４０には、メダルＭの受け入れを可能とする開放状態とメダルＭの受け入れを不可能とする閉鎖状態とに開閉可能に設けられた蓋部材１６０（蓋体）が設けられている。
【００４３】
導入経路カバー１４１の上下方向の中央位置よりもやや下方には、払出ユニット１８２から払出されたメダルＭをスロットマシン１の下皿５に誘導する誘導部材の一例であるノズル１５０が設けられている。ノズル１５０は、払出ユニット１８２の前面に形成された払出口１８２ａから前下方へ向けて延設され、カバー体１０２Ｂと導入経路カバー１４１とに形成された開口を挿通して前方へ突出している。ノズル１５０の下部は蛇腹構造とされており、左右に揺動できるようになっている。
【００４４】
また、ノズル１５０においてカバー体１０２Ｂと導入経路カバー１４１とにより囲まれた空間内を挿通している部位は覆われており、受入部１４０から受け入れて導入経路を流下するメダルＭと、ノズル１５０により誘導されるメダルＭとが混在しないようになっている。つまり、受入部１４０から受け入れたメダルＭがノズル１５０により誘導されたり、払出ユニット１８２から払い出されたメダルＭが計数ユニット１９０へ誘導されることはない。
【００４５】
図３及び図４に示すように、ホルダ１０１内の上部位置には、カード挿入口１１２に対応する位置に内蔵される内部カードリーダライタ（図示略）や、該メダル貸出機１００を構成する各部と接続しやすいように該メダル貸出機１００の動作を制御するとともに回収したビジターカードを貯留するカードストック部（図示略）等が一体に組み付けられた制御ユニット１８１が配設されている。
【００４６】
制御ユニット１８１の下方位置には、紙幣挿入口１１０に連設され、該紙幣挿入口１１０に投入された紙幣を取り込んでその真贋や紙幣種別の識別を実行し、その識別結果を制御ユニット１８１に出力する紙幣識別ユニット１８０が設けられており、該紙幣識別ユニット１８０にて各種紙幣（１万円、５千円、２千円、千円の各紙幣）の受付けが可能とされている。
【００４７】
制御ユニット１８１と紙幣識別ユニット１８０とは、上下に並設されており、これら紙幣識別ユニット１８０及び制御ユニット１８１の前面が一のカバー体１０２Ａにより覆われた状態で一体化されており、メダル補給扉１３０を開放することにより前方に引き出し可能に設けられている。
【００４８】
内部カードリーダライタ（図示略）は、カード挿入口１１２から挿入される会員カード並びにビジターカードに記録されている（会員）カードＩＤや、会員ＩＤ（会員カードのみ）、プリペイド残額データ等の記録情報の読み出し並びに書き込みを行うとともに、発行に使用するビジターカード（回収したカードを含む）を貯留するカードストック部（図示略）を有しており、該カードストック部（図示略）に貯留されたカードを発行可能とされている。
【００４９】
制御ユニット１８１の下方位置、つまり、ホルダ１０１の上下方向略中央位置には、払い出すメダルＭを貯留する貸出メダル貯留部１８３が設けられている。貸出メダル貯留部１８３は、該貸出メダル貯留部１８３に貯留されるメダルＭを払い出す払出ユニット１８２の上部に設けられた上向きに開口するメダルホッパー１８２ｂと、該メダルホッパー１８２ｂの上方に形成される空間部と、から構成されており、貸出メダル貯留部１８３に貯留されたメダルＭは、メダルホッパー１８２ｂにより払出ユニット１８２に向けて整列誘導された後、内部に設けられた図示しない回転ディスク（図示略）によって前面に形成された払出口１８２ａから排出され、ノズル１５０を介して対応するスロットマシン１の下皿５に払い出されるようになっている。
【００５０】
図３に示すように、メダルホッパー１８２ｂの上方位置には、メダル補給扉１３０が配設されており、メダル補給扉１３０を開放することで貸出メダル貯留部１８３にメダルＭを補給できるようになっている。
【００５１】
払出ユニット１８２の下方位置には、受入部１４０から受け入れて導入通路（図示略）を介して誘導されたメダルＭを計数する計数ユニット１９０が配設されている。計数ユニット１９０は、前面上部に計数口１９１ａを有し、該計数口１９１ａから流入したメダルＭは、内部に設けられた回転ディスク（図示略）が回動することにより１枚ずつ整列移動された後に計数され、その真贋（正規メダルであるか否か）が判定された後、背面に形成された排出口１９１ｂから１枚ずつ排出される。
【００５２】
排出口１９１ｂから排出されたメダルＭは、後述するホルダ１０１の底板１０１Ｄに形成されたメダル排出用開口２１０Ｂを介して遊技島１０００内に排出され（図７（Ａ）参照）、該遊技島１０００内に設けられた搬送ベルト等のメダル回収装置１１００（図１２参照）により該遊技島１０００の端部等に設けられたメダル回収部１１０１（図１２参照）まで搬送されるようになっている。
【００５３】
尚、本実施例の遊技島１０００は、メダル貸出機１００やスロットマシン１から排出されたメダルＭをメダル回収装置１１００によりメダル回収部１１０１まで搬送し、該メダル回収部１１０１にて貯留（保管）するように構成されている。尚、本実施例では、メダル回収部１１０１に貯留（保管）されているメダルＭは、遊技店員等により各メダル貸出機１００の貸出メダル貯留部１８３やスロットマシン１に適宜補給されるようになっているが、本発明はこれに限定されるものではなく、遊技島１０００に設けたメダル補給装置（図示略）により、メダル回収部１１０１に回収されたメダルＭを、各メダル貸出機１００の貸出メダル貯留部１８３やスロットマシン１に自動補給するようにしてもよい。
【００５４】
ホルダ１０１における払出ユニット１８２及び計数ユニット１９０の背面側には、ホルダ１０１内に設けられた各種装置に電力を供給するための電源ユニット１９８が、ホルダ１０１の背面から後部が突出するように設けられている。
【００５５】
図２に示すように、遊技者がスロットマシン１にて遊技を行う場合、紙幣挿入口１１０に紙幣を挿入することで、貸出メダル貯留部１８３に貯留されているメダルＭのうち１０００円分のメダルＭ（例えば、５０枚）が払出ユニット１８２から排出され、ノズル１５０を介してスロットマシン１の下皿５に払い出され、これを使用して対応するスロットマシン１にて遊技を行うことができる。また、高額紙幣（２０００円、５０００円、１００００円）が挿入された場合は、受付け中のビジターカードがなければ、１０００円分のメダルＭが払い出され、残額は新たに発行されるビジターカードに記録され、受付け中のビジターカードまたは会員カードがある場合には、該受付け金額が受付け中のビジターカードまたは会員カードの残額に加算更新される。また、受付け中のビジターカードまたは会員カードに１０００円分以上のカード残額がある場合は、貸出ボタン１１６を押圧することで１０００円分のメダルＭ（例えば、５０枚）が払出ユニット１８２から払い出され、残額が減算更新される。また、受付け中の会員カードに所定数以上の貯蓄メダルがある場合には、暗証番号による認証がＯＫであることを条件に、再プレイボタン１２１を押圧することで１０００円分のメダルＭ（例えば、５０枚）が払出ユニット１８２から払い出され、貯蓄メダル数が減算更新される。
【００５６】
また、遊技者がスロットマシン１にて遊技を行った結果メダルＭを獲得した場合、下皿５に払い出された獲得メダルを手やメダル収容箱（図示略）を利用して受入部１４０に投入することで、受け入れたメダルＭは導入経路カバー１４１内を落下した後、計数ユニット１９０の導入部である計数口１９１ａに導入される。そして、計数ユニット１９０内に導入されたメダルＭが該計数ユニット１９０に設けられた入口センサ（図示略）により検出されたことに基づいて回転ディスク（図示略）が駆動し、導入されたメダルＭが計数ユニット１９０内部に取り込まれて計数され、該計数されたメダル枚数が受付け中の会員カードやビジターカードから特定される持ちメダル数に加算更新されるとともに、該計数されたメダルＭはホルダ１０１外へ排出され、遊技島１０００内のメダル回収装置１１００に落下する。
【００５７】
遊技者が遊技を終了する場合、遊技者は返却ボタン１１４を操作して、受付け中の会員カードやビジターカード（現金の投入によって発行されたビジターカードを含む）を返却させる。遊技にて獲得して計数済みのメダル数（持ちメダル数）がある場合には、返却する会員カードまたはビジターカードのカードＩＤと持ちメダル数とを含む持ちメダル数更新要求がメダル管理コンピュータ５５０に送信されて、該会員カードまたはビジターカードのカードＩＤに対応する持ちメダル数に、メダル数更新要求に含まれる持ちメダル数が加算更新されるため、遊技場のカウンタ等において、会員カードまたはビジターカードから持ちメダル数を特定して、該持ちメダル数に相当する景品等に交換、または別のスロットマシン１での遊技に使用することができる。また、プリペイド残額がある場合には、遊技場に設置されている精算機（図示略）等にてプリペイド残額を精算することができる。
【００５８】
このように、本実施例のメダル貸出機１００にあっては、対応するスロットマシン１にて遊技を開始する際にメダルＭの貸出を実行するだけでなく、遊技の終了時に精算を実行することができるため、遊技者はスロットマシン１から移動することなく、遊技の開始及び精算を行うことができる。
【００５９】
次に、メダル貸出機１００のホルダ１０１の構造と、該ホルダ１０１に前側から挿入されて保持される装置ユニットとしての紙幣識別ユニット１８０、制御ユニット１８１、払出ユニット１８２、計数ユニット１９０と、ホルダ１０１の背面側に少なくとも一部が配置される電気部品としての中継器２３０及び電源ユニット１９８の詳細について説明する。
【００６０】
図３〜図５に示すように、ホルダ１０１は、金属製の板材からなる上板１０１Ａ、左側板１０１Ｂ、右側板１０１Ｃ、底板１０１Ｄ及び背板１０１Ｅにより、前面が開放する箱状に構成されている。前面開口は、正面視縦長長方形状をなしている。尚、上板１０１Ａ、左側板１０１Ｂ、右側板１０１Ｃ、底板１０１Ｄ及び背板１０１Ｅは合成樹脂材等にて構成されていてもよい。
【００６１】
ホルダ１０１内には、紙幣識別ユニット１８０及び制御ユニット１８１からなる上部ユニットを支持する支持板２０１と、払出ユニット１８２を支持する支持板２０２と、がホルダ１０１の内部空間を上下に区画するように略水平に取付けられている。支持板２０２は、左側板１０１Ｂ及び右側板１０１Ｃの内面に取付けられているブラケット２０３と背板１０１ＥとにネジＮ１により取外し可能に取付けられている。また、支持板２０２は、払出ユニット１８２を支持する支持部２０２Ａと、支持部２０２Ａの後端から上方に屈曲され電源ユニット１９８の前面上部を覆う被覆部２０２Ｂとからなり、被覆部２０２Ｂにはコネクタ用孔２０２Ｃが形成されている。
【００６２】
底板１０１Ｄは、前後寸法が上板１０１Ａの前後寸法よりも長寸とされ、後端が背板１０１Ｅよりも後方に突出している。また、底板１０１Ｄには、平面視長方形状をなすメダル排出用開口２１０Ａ，２１０Ｂが前後に形成されている。後側のメダル排出用開口２１０Ｂの後部は背板１０１Ｅよりも背面側に配置されている。
【００６３】
背板１０１Ｅは、ホルダ１０１の背面開口における上端位置から上下方向の中央よりもやや下方位置（電源ユニット１９８の上部付近）にかけて被覆する大きさを有している。背板１０１Ｅの上下方向の略中央位置には段部２２０が形成されており、背板１０１Ｅの上板部２２１Ａは下板部２２１Ｂよりも前側に配置されている。また、上板部２２１Ａには、開口２２２が形成され、下板部２２１Ｂには、開口２２３，２２４，２２５がそれぞれ上下方向に並設されている。
【００６４】
開口２２２は、電気部品としての中継器２３０により閉鎖されている。中継器２３０は、図６（Ａ）及び図６（Ｂ）に示すように、中継基板２３１と、中継基板２３１を上板部２２１Ａに取付けるための金属製のブラケット２３２と、から構成される。中継基板２３１は、前面に複数の基板側コネクタＫＣＮ１が設けられ、背面に複数の基板側コネクタＫＣＮ２が設けられており、複数の基板側コネクタＫＣＮ１は、ブラケット２３２に形成されたコネクタ用開口２３３を介してブラケット２３２の前面側に突出している。
【００６５】
前面側の基板側コネクタＫＣＮ１には、制御ユニット１８１の背面に突設されたユニット側コネクタＹＣＮ１が接続される。尚、ユニット側コネクタＹＣＮ１は、フローティングコネクタ、つまり、可動コネクタとされている。
【００６６】
背面側の基板側コネクタＫＣＮ２には、制御ユニット１８１を、払出ユニット１８２、計数ユニット１９０及び電源ユニット１９８と接続するケーブルＣ１や、制御ユニット１８１とホールコンピュータ５４０、メダル管理コンピュータ５５０及びカード管理コンピュータ５００とを接続する通信ケーブル８０等の配線側コネクタＨＣＮ２等が接続される。
【００６７】
ブラケット２３２の上下には、ネジＮ２の取付孔２３５が左右に形成された取付片２３４Ａ，２３４Ｂがそれぞれ形成されている。よって、取付孔２３５各々に前方から取付けたネジＮ２を、背板１０１Ｅの上板部２２１Ａにおける開口２２２の上下に形成されたネジ孔（図示略）に前側から取付けることで、中継器２３０を背板１０１Ｅの前面側に取付けることができる。また、中継器２３０を背板１０１Ｅの前面側に取付けた状態において、背面側の複数の基板側コネクタＫＣＮ２は、開口２２２を介して背板１０１Ｅの上板部２２１Ａよりも背面側に配置される（図３参照）。
【００６８】
また、ブラケット２３２における開口２２２の上部には、制御ユニット１８１の背面に形成された前後方向を向く位置決め孔（図示略）に挿入可能な柱状の位置決めガイド２３６が前方に向けて突設されている。
【００６９】
下板部２２１Ｂに形成された開口２２３は、図１２に示すように、遊技島１０００の内部に設けられた紙幣搬送通路９０１から各メダル貸出機１００に向けて延設された接続通路９０２が挿通される。接続通路９０２は、紙幣識別ユニット１８０の背面に形成された接続部２４０に接続可能であり、紙幣識別ユニット１８０に回収された紙幣を紙幣搬送通路９０１まで搬送できるようになっている。接続通路９０２から紙幣搬送通路９０１へ搬送された紙幣は、紙幣搬送通路９０１を介して遊技島１０００の端部等に設けられた紙幣回収装置９００へ搬送されて回収されるようになっている。
【００７０】
尚、紙幣識別ユニット１８０は、本実施例では、受付けた紙幣を蓄積することなく紙幣回収装置９００へ自動で搬送する紙幣回収装置９００に接続されていたが、本発明はこれに限定されるものではなく、紙幣識別ユニット１８０は、受付けた紙幣を内部に蓄積しておき、管理者が適宜タイミングで回収するものとしてもよい。
【００７１】
開口２２４は、背板１０１Ｅの背面側からネジＮ３により背板１０１Ｅに取付けられる蓋体２５１により閉鎖されている。
【００７２】
開口２２５は、背板１０１Ｅの背面側からネジＮ４により背板１０１Ｅに取付けられる蓋体２５２により閉鎖されている。尚、本実施例では、ホルダ１０１の前面に設けられたメダル補給扉１３０を介して払出ユニット１８２のメダルホッパー１８２ｂにメダルＭを補給するようになっているが、遊技島１０００にメダル自動補給装置（図示略）が設けられている場合、蓋体２５２を取外して開口２２５を開放し、該開口２２５にホルダ１０１の背面側から補給ノズル（図示略）を挿通し、ホルダ１０１の背面側からメダルホッパー１８２ｂにメダルＭを自動補給できるようになっている。
【００７３】
背板１０１Ｅの下方には、前面、底面及び上面が開口する平面視コ字形をなす電源カバー２６０が設けられており、この電源カバー２６０により、ホルダ１０１の背面における背板１０１Ｅの下端から底板１０１Ｄまでの領域が覆われている。また、電源カバー２６０は、後部が背板１０１Ｅよりも背面側に配置されている。つまり、背板１０１Ｅから背面側に膨出するように設けられていることで、電源ユニット１９８は、背板１０１Ｅより背面側に後部が配置されるようにホルダ１０１に設けられている。
【００７４】
電源ユニット１９８の前面上部には、電源側コネクタＤＣＮ１が突設されており、該電源側コネクタＤＣＮ１には、払出ユニット１８２の背面に設けられたユニット側コネクタＹＣＮ２が接続される。電源側コネクタＤＣＮ１とユニット側コネクタＹＣＮ２とが接続されることで、払出ユニット１８２が電源ユニット１９８及び制御ユニット１８１と接続される。尚、ユニット側コネクタＹＣＮ２は、フローティングコネクタ、つまり、可動コネクタとされている。
【００７５】
また、電源ユニット１９８の前面下部には、電源側コネクタＤＣＮ２が突設されており、該電源側コネクタＤＣＮ２には、計数ユニット１９０の背面に設けられたユニット側コネクタＹＣＮ３が接続される。電源側コネクタＤＣＮ２とユニット側コネクタＹＣＮ３とが接続されることで、計数ユニット１９０が電源ユニット１９８及び制御ユニット１８１と接続される。尚、ユニット側コネクタＹＣＮ３は、フローティングコネクタ、つまり、可動コネクタとされている。
【００７６】
また、電源ユニット１９８の上面後部には、電源側コネクタＤＣＮ３が突設されており、該電源側コネクタＤＣＮ３には、ケーブルＣ１の配線側コネクタＨＣＮ３が接続される。電源側コネクタＤＣＮ３と配線側コネクタＨＣＮ３とが接続されることで、電源ユニット１９８が制御ユニット１８１と接続される。また、電源ユニット１９８の上面後部からは、電源コードが延設されており、遊技島１０００に設けられた電源（図示略）に接続されている。
【００７７】
図７（Ａ）（Ｂ）及び図８（Ａ）に示すように、電源ユニット１９８は、底板１０１Ｄの後部左右側に立設された支持板２７０Ａ，２７０Ｂにより、底板１０１Ｄより上方位置に支持される。詳しくは、支持板２７０Ａ，２７０Ｂの上部には水平な段部２７１が形成されており、電源ユニット１９８は、その底面左右側を段部２７１に載置することで起立状態で保持される。そして、電源ユニット１９８は、支持板２７０Ａ，２７０Ｂの段部２７１に設置した状態において、上面側の複数の電源側コネクタＤＣＮ３は、背板１０１Ｅよりも背面側に配置される（図３参照）。
【００７８】
そして、このように支持板２７０Ａ，２７０Ｂに支持された状態において、電源ユニット１９８の底面と底板１０１Ｄとの間に空間部Ｓが形成される。空間部Ｓの下方には、メダル排出用開口２１０Ｂが配置され、また、空間部Ｓの前方には、計数ユニット１９０の背面下部に形成された排出口１９１ｂが臨むように配置される。つまり、排出口１９１ｂから排出されたメダルＭは、空間部Ｓを介してメダル排出用開口２１０Ｂから落下し、遊技島１０００の内部に設けられたメダル回収装置１１００により回収されるようになっている。
【００７９】
尚、本実施例では、排出口１９１ｂから排出されたメダルＭは、空間部Ｓを介してメダル排出用開口２１０Ｂからダイレクトに落下するようになっていたが、例えば、図８（Ｂ）に示すように、排出口１９１ｂの下流側に板状のガイド部材２８０を取付け、排出口１９１ｂから排出されたメダルＭがガイド部材２８０により分散されるようにしたり、図８（Ｃ）に示すように、メダル排出用開口２１０Ｂを左右に区画するように棒状のガイド部材２９０を取付け、排出口１９１ｂから排出されたメダルＭがガイド部材２９０により分散されるようにしてもよい。
【００８０】
このように、ガイド部材２８０やガイド部材２９０を設けることで、排出口１９１ｂから排出されたメダルＭが分散されてメダル排出用開口２１０Ｂから落下するようになる。つまり、遊技島１０００の内部におけるメダル排出用開口２１０Ｂの直下に設けられるメダル回収装置１１００の所定箇所に部分的に集中してメダルＭが落下することを回避することができるため、メダル回収装置１１００が破損することを抑制することができる。
【００８１】
また、特に図示しないが、これらガイド部材２８０，２９０や底板１０１Ｄ等にアース線を接続することで、メダルＭとの接触により生じる静電気を逃がすことができるため、静電気により計数ユニットが故障することを抑制できる。
【００８２】
また、本実施例では、遊技島１０００の内部に設けられるメダル回収装置１１００は、遊技島１０００に設置された各スロットマシン１の筐体１ａの底板に設けられたメダル排出口（図示略）の直下を通過するように設けられているため、これら各スロットマシン１に対応して設けられる各メダル貸出機１００においてこのメダル回収装置１１００を共用するために、メダル回収装置１１００の直上に配置されているメダル排出用開口２１０Ｂを使用している。
【００８３】
しかし、スロットマシン１からオーバーフローして排出されたメダルＭと、計数ユニット１９０により計数されたメダルＭとを別個のメダル回収装置により回収する場合、例えば、メダル排出用開口２１０Ｂの前方に設けられたメダル排出用開口２１０ＡからメダルＭを排出すればよい（図７（Ｂ）参照）。
【００８４】
また、この場合、計数ユニット１９０においては、計数したメダルＭをメダル排出用開口２１０Ｂへ排出するための排出口１９１ｂの他に、計数したメダルＭをメダル排出用開口２１０Ａへ排出するための排出口１９１ｃ（図７（Ｂ）参照）を予め設けておくとともに、計数したメダルＭをメダル排出用開口２１０Ｂへ誘導するための誘導経路部材２７５Ｂと、計数したメダルＭをメダル排出用開口２１０Ａへ誘導するための誘導経路部材２７５Ａと、を交換可能に取付けできるようにしておくことが好ましい。このように、誘導経路部材２７５Ａ，２７５Ｂを交換可能に取付けることで、メダル回収装置１１００に対応して、計数したメダルＭをメダル排出用開口２１０Ｂまたはメダル排出用開口２１０Ａへ誘導することが可能となる。
【００８５】
このように構成されたメダル貸出機１００は、図３に示すように、メダル貸出機１００を構成する紙幣識別ユニット１８０、制御ユニット１８１、払出ユニット１８２、計数ユニット１９０といった各種装置が、ホルダ１０１の内部に上下に並設された状態で保持されている。
【００８６】
そして、図１２（Ａ）（Ｂ）に示すように、遊技島１０００に設けられた設置部に設置する場合、各スロットマシン１の右側に隣接して配置される。遊技島１０００は、互いに平行をなす２列の設置部を有し、一方の設置部に横方向に列設される複数のスロットマシン１とメダル貸出機１００と、他方の設置部に横方向に列設される複数のスロットマシン１とメダル貸出機１００とは互いに背を向けた状態で配置されている。メダル貸出機１００は、このように遊技島１０００に設置された状態において前面のみが遊技者側に露呈され、左右にはスロットマシン１、遊技島１０００の壁部１００１、スペーサ１００２が隣接して配置され、遊技島１０００の内部は閉鎖空間とされている。
【００８７】
よって、メダル貸出機１００の紙幣識別ユニット１８０、制御ユニット１８１、払出ユニット１８２、計数ユニット１９０等に何らかの不具合が生じた場合、これらをホルダ１０１から手前側へ取出す必要がある。具体的には、これら制御ユニット１８１、払出ユニット１８２、計数ユニット１９０をホルダ１０１から取出すには、まず、遊技場の店員等が管理する所定の鍵（図示略）をメダル補給扉鍵１３１に差し込んでメダル補給扉１３０を開放し、カバー体１０２Ａ，１０２Ｂをホルダ１０１の前面から取外し、ホルダ１０１の前面開口を開放する。
【００８８】
尚、本実施例では、メダル補給扉１３０を開放しない限りカバー体１０２Ａ，１０２Ｂをホルダ１０１の前面から取外すことができない構成とされているが、本発明はこれに限定されるものではなく、メダル補給扉１３０、カバー体１０２Ａ，１０２Ｂ各々が所定の施錠装置を解錠しない限り開放できないようにしてもよい。
【００８９】
詳しくは、紙幣識別ユニット１８０及び制御ユニット１８１は、カバー体１０２Ａを手前側に引き出すことで、ホルダ１０１から取出すことができる。また、紙幣識別ユニット１８０及び制御ユニット１８１を手前側に引き出すことで、基板側コネクタＫＣＮ１からユニット側コネクタＹＣＮ２が逸脱し、紙幣識別ユニット１８０及び制御ユニット１８１と電源ユニット１９８、払出ユニット１８２、計数ユニット１９０と、ホールコンピュータ５４０、メダル管理コンピュータ５５０及びカード管理コンピュータ５００との接続が解除される。また、紙幣識別ユニット１８０の接続部２４０が接続通路９０２から逸脱し、紙幣識別ユニット１８０と接続通路９０２との接続が解除される。
【００９０】
払出ユニット１８２と計数ユニット１９０については、カバー体１０２Ｂをホルダ１０１から取外し、それぞれ手前側に引き出すことでホルダ１０１から取出すことができる。また、払出ユニット１８２を手前側に引き出すことで、電源側コネクタＤＣＮ１からユニット側コネクタＹＣＮ２が逸脱し、制御ユニット１８１と電源ユニット１９８との接続が解除される。また、計数ユニット１９０を手前側に引き出すことで、電源側コネクタＤＣＮ２からユニット側コネクタＹＣＮ３が逸脱し、制御ユニット１８１と電源ユニット１９８との接続が解除される。
【００９１】
このように、紙幣識別ユニット１８０、制御ユニット１８１、払出ユニット１８２及び計数ユニット１９０は、ホルダ１０１の前面開口から手前側に引き出すことができるので、ホルダ１０１が遊技島１０００に固定されている状態でも、メンテナンス作業や交換作業をホルダ１０１外で容易に行うことができる。また、各装置ユニットを手前側に引き出すことにより他の装置との配線接続が解除され、配線の接続解除作業を別途行う必要がないので、作業負荷を軽減できる。
【００９２】
しかし、中継器２３０の基板側コネクタＫＣＮ２から配線側コネクタＨＣＮ２が抜脱したり、電源ユニット１９８の上面後部に設けられた電源側コネクタＤＣＮ３から配線側コネクタＨＣＮ３が抜脱するなど、ホルダ１０１の背板１０１Ｅの背面側に配置されている基板側コネクタＫＣＮ２や電源側コネクタＤＣＮ３といった電気機器に何らかの不具合（例えば、コネクタ接続が解除されたり、コネクタが破損するなど）が生じた場合、これらはホルダ１０１の奥側にあり、かつ、背板１０１Ｅの背面側にあることで、左右寸法Ｌ１（図９（Ｃ）参照）が約１００ｍｍ程度しかないホルダ１０１の前面開口から状態を目視にて確認することも、手を伸ばして直接触れて確認することも極めて困難である。
【００９３】
この場合、遊技島１０００の設置部に釘等により固定されたホルダ１０１を設置部から取外したり、遊技島１０００の内部に作業者が入り込んで背面側から作業するといったことが考えられるが、作業が大掛かりになる。また、隣接するスロットマシン１の前面扉１ｂを開放しても、筐体１ａは前面が開口する箱状に形成されているため、ホルダ１０１の側方にあるスロットマシン１の筐体１ａを通してホルダ１０１の背面側を確認したり作業することもできない。さらに、遊技島１０００の設置部に釘等により固定されたスロットマシン１を設置部から取外すのも作業が大掛かりになるため、いずれにしても営業中に対処することは極めて困難である。
【００９４】
そこで、本実施例のメダル貸出機１００は、背板１０１Ｅの背面側に一部（例えば、基板側コネクタＫＣＮ２や電源側コネクタＤＣＮ３）が配置された電気部品である中継器２３０や電源ユニット１９８は、ホルダ１０１の前面開口から取外して手前側に引き出すことができるので、中継器２３０や電源ユニット１９８の不具合に容易に対処することができる。
【００９５】
以下、中継器２３０の取外し方法の一例について、図９に基づいて説明する。まず、図９（Ａ）に示すように、制御ユニット１８１及び紙幣識別ユニット１８０をホルダ１０１の手前側に引き出す。これにより、基板側コネクタＫＣＮ１とユニット側コネクタＹＣＮ２との接続が解除される。
【００９６】
次いで、図９（Ｂ）に示すように、ホルダ１０１の前側からネジＮ２を取外し、背板１０１Ｅの前面に取付けられていた中継器２３０を手前側に引き出す。これにより、背面側の基板側コネクタＫＣＮ２に配線側コネクタＨＣＮ２を介して接続されているケーブルＣ１が開口２２２を介してホルダ１０１内部に引き込まれる。
【００９７】
このように中継器２３０を手前側に引き出した後、図９（Ｃ）に示すように、中継器２３０を左右方向に回転させることで、中継器２３０の背面側の基板側コネクタＫＣＮ２と該基板側コネクタＫＣＮ２に接続されている配線側コネクタＨＣＮ２との接続状況や、中継器２３０の背面側が破損していないかなどをホルダ１０１の前側から確認したり、接続状況を手で触れて確認すること等が可能となる。
【００９８】
また、本実施例では、ホルダ１０１の左側板１０１Ｂと右側板１０１Ｃとの間の左右寸法Ｌ１は、中継器２３０における前後方向の奥行寸法Ｌ２（例えば、基板側コネクタＫＣＮ１の前端から基板側コネクタＫＣＮ２のうち最も背面側に突出しているコネクタの後端との間の寸法）よりも長寸とされていることで、ホルダ１０１の内部にて中継器２３０を左右方向に回転させることができるため、取出した中継器２３０をホルダ１０１外へ取出してから中継器２３０の背面側を確認する必要がないので、ケーブルＣ１を長く引き出さなくて済む。
【００９９】
尚、本実施例では、中継器２３０を左右方向に回転させることで、中継器２３０の背面側を確認する形態を例示したが、本発明はこれに限定されるものではなく、中継器２３０を上下方向に回転させることで中継器２３０の背面側を確認することも可能である。
【０１００】
また、紙幣識別ユニット１８０及び制御ユニット１８１をホルダ１０１に取付けるには、まず、取外した中継器２３０の背面側の基板側コネクタＫＣＮ２に配線側コネクタＨＣＮ２を全て接続した状態で、ホルダ１０１の前側からネジＮ２により背板１０１Ｅの前面側に取付ける。そして、紙幣識別ユニット１８０及び制御ユニット１８１をホルダ１０１の前側から内部に挿入し、支持板２０１上をスライドさせて奥側へ押し込む。
【０１０１】
紙幣識別ユニット１８０及び制御ユニット１８１のユニット側コネクタＹＣＮ１が中継器２３０の基板側コネクタＫＣＮ１に近づくと、ユニット側コネクタＹＣＮ１が基板側コネクタＫＣＮ１に接続される前に、制御ユニット１８１の背面に形成された位置決め孔（図示略）に、中継器２３０の前面に突設された位置決めガイド２３６が挿入される。これにより、背板１０１Ｅに取付けられた中継器２３０に対する紙幣識別ユニット１８０及び制御ユニット１８１の接続位置が決定される。
【０１０２】
そして、位置決めされた状態で紙幣識別ユニット１８０及び制御ユニット１８１を押し込むことで、ユニット側コネクタＹＣＮ１が基板側コネクタＫＣＮ１に接続される。尚、位置決めガイド２３６と制御ユニット１８１の背面に形成された位置決め孔（図示略）との間には僅かな遊びが設けられているが、ユニット側コネクタＹＣＮ１がフローティングコネクタであることで、該フローティングコネクタが可動して嵌合ずれを吸収するので、ホルダ１０１の前側からしか挿入できない状況、つまり、前側からコネクタ接続の状況を目視できない状況でも、簡単にユニット側コネクタＹＣＮ１を基板側コネクタＫＣＮ１に電気的に接続することができる。
【０１０３】
次に、電源ユニット１９８の取外し方法の一例について、図１０に基づいて説明する。まず、払出ユニット１８２と計数ユニット１９０をホルダ１０１の手前側に引き出す（図４参照）。これにより、電源側コネクタＤＣＮ１，ＤＣＮ２とユニット側コネクタＹＣＮ２，ＹＣＮ３との接続が解除される。次いで、図１０（Ａ）に示すように、ホルダ１０１の前側からネジＮ１を取外し、背板１０１Ｅとブラケット２０３とに取付けられていた支持板２０２をホルダ１０１の手前側に引き出す。
【０１０４】
次いで、図１０（Ａ）において２点鎖線で示すように、電源ユニット１９８の下部を手前側に引き出し、電源ユニット１９８の上面に突設されている電源側コネクタＤＣＮ３と該電源側コネクタＤＣＮ３に接続されている配線側コネクタＨＣＮ３とを背板１０１Ｅの下端より下方にずらす。そして、図１０（Ｂ）において２点鎖線で示すように、電源側コネクタＤＣＮ３と配線側コネクタＨＣＮ３とを背板１０１Ｅより手前側まで引き出した後、電源ユニット１９８の上部を手前側に傾倒させる。
【０１０５】
ここで、電源ユニット１９８の左右寸法Ｌ３（図５参照）は、左右のブラケット２０３，２０３の前側の離間寸法Ｌ４（図５参照）よりも長寸とされているため、電源ユニット１９８を左右のブラケット２０３，２０３の間を手前側に向けて通過させることはできない。尚、左右のブラケット２０３，２０３の離間寸法は、後側に比べて前側が狭くなっており、後側の離間寸法は、電源ユニット１９８の左右寸法Ｌ３よりもやや長寸とされている。
【０１０６】
よって、図１０（Ｂ）において２点鎖線で示すように、左右のブラケット２０３，２０３の後方において電源ユニット１９８の上部を手前側に傾倒させることで、電源ユニット１９８において背板１０１Ｅの背面側に配置される電源側コネクタＤＣＮ３と該電源側コネクタＤＣＮ３に接続されている配線側コネクタＨＣＮ３との接続状況や破損していないかなどをホルダ１０１の前側から確認したり、接続状況を手で触れて確認すること等が可能となる。
【０１０７】
また、電源ユニット１９８のメンテナンス作業や交換作業を行う場合には、電源側コネクタＤＣＮ３から配線側コネクタＨＣＮ３を抜脱し、電源ユニット１９８の上部を手前側に傾倒させた状態で左右のブラケット２０３，２０３の上方を通過させることで、図１０（Ｂ）において実線で示すように電源ユニット１９８をホルダ１０１から手前側へ引き出すことができる。
【０１０８】
また、図１１（Ａ）に示すように、本実施例では、電源ユニット１９８は、該電源ユニット１９８に接続される払出ユニット１８２及び計数ユニット１９０の背面側に立設されているため、払出ユニット１８２と計数ユニット１９０とを上下に並設した場合、払出ユニット１８２の上端から計数ユニット１９０下端までの上下寸法は上下寸法Ｌ１０となっている。
【０１０９】
これに対し、図１１（Ｂ）に示すように、電源ユニット１９８を、該電源ユニット１９８に接続される払出ユニット１８２及び計数ユニット１９０の上方に配置しようとすると、前記上下寸法Ｌ１０の間に払出ユニット１８２と計数ユニット１９０とを上下に並設するためには、払出ユニット１８２のメダルホッパー１８２ｂの上下寸法や、計数ユニット１９０のホッパーの上下寸法を短寸にする必要があるため、特にメダルホッパー１８２ｂにおけるメダルＭの受け入れ量が小さくなる。また、電源ユニット１９８に対する計数ユニット１９０の離間寸法が増大するので、配線が長くなってしまう。
【０１１０】
よって、図１１（Ａ）に示すように、電源ユニット１９８を払出ユニット１８２及び計数ユニット１９０の背面側に立設することで、払出ユニット１８２や計数ユニット１９０における上下寸法を長寸としてメダルＭの受け入れ量を確保することができるだけでなく、電源ユニット１９８に対し払出ユニット１８２や計数ユニット１９０を上下に並設して配置できるので、配線を極力短くすることができる。
【０１１１】
次に、払出ユニット１８２をホルダ１０１に取付けるには、まず、取外した電源ユニット１９８の上面側の電源側コネクタＤＣＮ３に配線側コネクタＨＣＮ３を全て接続した状態で、電源ユニット１９８を支持板２７０Ａ，２７０Ｂ上に設置する。次いで、取外した支持板２０２を、ホルダ１０１の前側からネジＮ１により背板１０１Ｅ及びブラケット２０３に取付ける。そして、払出ユニット１８２をホルダ１０１の前側から内部に挿入し、支持板２０２上をスライドさせて奥側へ押し込む。
【０１１２】
これにより、払出ユニット１８２のユニット側コネクタＹＣＮ２が電源ユニット１９８の電源側コネクタＤＣＮ１に接続される。尚、ユニット側コネクタＹＣＮ２がフローティングコネクタであることで、該フローティングコネクタが可動して嵌合ずれを吸収するので、ホルダ１０１の前側からしか挿入できない状況、つまり、前側からコネクタ接続の状況を目視できない状況でも、簡単にユニット側コネクタＹＣＮ２を電源側コネクタＤＣＮ１に電気的に接続することができる。
【０１１３】
また、計数ユニット１９０をホルダ１０１に取付けるには、計数ユニット１９０をホルダ１０１の前側から内部に挿入し、底板１０１Ｄ上をスライドさせて奥側へ押し込む。これにより、計数ユニット１９０のユニット側コネクタＹＣＮ３が電源ユニット１９８の電源側コネクタＤＣＮ２に接続される。尚、ユニット側コネクタＹＣＮ３がフローティングコネクタであることで、該フローティングコネクタが可動して嵌合ずれを吸収するので、ホルダ１０１の前側からしか挿入できない状況、つまり、前側からコネクタ接続の状況を目視できない状況でも、簡単にユニット側コネクタＹＣＮ３を電源側コネクタＤＣＮ２に電気的に接続することができる。
【０１１４】
以上説明したように、本発明の実施例としてのメダル貸出機１００にあっては、前側が開放するホルダ１０１と、ホルダ１０１に前側から挿入されて保持される装置ユニット（例えば、紙幣識別ユニット１８０、制御ユニット１８１、払出ユニット１８２、計数ユニット１９０など）と、ホルダ１０１の背面側に少なくとも一部が配置される電気部品（例えば、中継器２３０は、背板１０１Ｅの前面側に取付けた状態において、背面側の複数の基板側コネクタＫＣＮ２は、開口２２２を介して背板１０１Ｅの上板部２２１Ａよりも背面側に配置される（図３参照）。また、電源ユニット１９８は、支持板２７０Ａ，２７０Ｂの段部２７１に設置した状態において、上面側の複数の電源側コネクタＹＣＮ３は、背板１０１Ｅよりも背面側に配置される（図３参照）。）と、を備え、中継器２３０や電源ユニット１９８は、ホルダ１０１の前側から取付け可能であり、ホルダ１０１に配置した状態で紙幣識別ユニット１８０、制御ユニット１８１、払出ユニット１８２、計数ユニット１９０を挿入することでこれら装置ユニットと電気的に接続される。
【０１１５】
このようにすることで、装置ユニットをホルダ１０１の前側から挿入するだけで該装置ユニットが中継器２３０や電源ユニット１９８に接続されるため、接続作業が容易になる。また、装置ユニットを前側に引き出すことで中継器２３０や電源ユニット１９８をホルダ１０１の前側から取外すことが可能となるので、ホルダ１０１の背面側にて中継器２３０や電源ユニット１９８に不具合が生じた場合でも、ホルダ１０１や隣接するスロットマシン１を遊技島１０００の設置部から取外したりすることなく、容易に対処することができる。
【０１１６】
また、メダル貸出機１００は、遊技島１０００に設置されるスロットマシン１に対応して設置され、スロットマシン１は、前側が開放する筐体１ａと、該筐体１ａの前面開口を開閉可能な前面扉１ｂと、を有する。このように、対応するスロットマシン１の前面扉１ｂを開放しても、遊技島１０００の内部空間が筐体１ａにより閉鎖されてホルダ１０１の背面側にアプローチすることが困難な環境において、ホルダ１０１の背面側にて中継器２３０や電源ユニット１９８に不具合が生じた場合に容易に対処することができる。
【０１１７】
また、中継器２３０や電源ユニット１９８と装置ユニット（例えば、紙幣識別ユニット１８０、制御ユニット１８１、払出ユニット１８２、計数ユニット１９０）とは、フローティングコネクタ（例えば、ユニット側コネクタＹＣＮ１〜ＹＣＮ３）を介して電気的に接続されることで、中継器２３０や電源ユニット１９８と装置ユニットとを接続する際に、フローティングコネクタが可動して嵌合ずれを吸収するので、ホルダ１０１の前側からしか挿入できない状況でも簡単にコネクタ接続することができる。
【０１１８】
また、中継器２３０は中継基板２３１を有し、装置ユニットは所定の制御部を有する制御ユニット１８１であることで、制御ユニット１８１と他の装置ユニットとを中継基板２３１を介して容易に接続または解除することができる。
【０１１９】
また、電気部品は電源ユニット１９８であり、装置ユニットは、スロットマシン１にて使用可能なメダルＭを計数可能な計数ユニット１９０と、メダルＭを払出し可能な払出ユニット１８２と、を含み、計数ユニット１９０と払出ユニット１８２とは、上下に並設されることで、計数ユニット１９０と払出ユニット１８２とを電源ユニット１９８の前側に配置することで、電源ユニット１９８を計数装置ユニットの上方または下方に配置する場合に比べて計数ユニット１９０及び払出ユニット１８２の上下寸法を長くすることができるため、計数ユニット１９０及び払出ユニット１８２のメダルＭの受け入れ量を増大させることができる。
【０１２０】
また、ホルダ１０１における電源ユニット１９８の下方に、計数ユニット１９０にて計数されたメダルＭを排出する排出経路を形成する空間部Ｓが設けられていることで、電源ユニット１９８を後部に配置する場合であっても、メダルＭの排出経路を後方に寄せることができる。
【０１２１】
また、排出経路から排出されたメダルＭは所定のメダル回収装置１１００に落下するものであり、メダル回収装置１１００へメダルＭが落下したときの衝撃を緩和する衝撃緩和手段としてのガイド部材２８０，２９０を備えることで、メダルＭが落下したときの衝撃によりメダル回収装置１１００が破損することを抑制できる。
【０１２２】
尚、本実施例では、衝撃緩和手段として上記ガイド部材２８０，２９０を適用した形態を例示したが、メダルＭが落下したときの衝撃を緩和できるものであれば、上記以外の部材等も適用可能である。
【０１２３】
また、ガイド部材２８０，２９０や底板１０１Ｄ等にアース線を接続することで、メダルＭとの接触により生じる静電気を逃がすことができるため、静電気により計数ユニット１９０が故障することを抑制できる。
【０１２４】
以上、本発明の実施例を図面により説明してきたが、具体的な構成はこれら実施例に限られるものではなく、本発明の要旨を逸脱しない範囲における変更や追加があっても本発明に含まれる。
【０１２５】
例えば、前記実施例では、遊技用装置の一例としてメダル貸出機１００を適用した形態を例示したが、本発明はこれに限定されるものではなく、遊技機の他の例であるパチンコ遊技機に対応して設けられる遊技用装置であれば、パチンコ遊技機の遊技に使用する遊技球を貸出し可能な遊技球貸出機でもよいし、メダルや遊技球などの遊技媒体の貸出機能を有しない遊技用装置（例えば、対応する遊技機に関する情報や遊技場に関する情報等を表示可能な表示装置など）等も適用可能である。
【０１２６】
すなわち、本発明の遊技用装置は、メダルＭなどの遊技媒体を計数する計数装置及び遊技媒体を払い出す（貸出す）払出装置（貸出装置）のうちいずれか一方または双方を備える遊技用装置でもよいし、計数装置や払出装置を有しない遊技用装置も含む。例えば、遊技機に対応して、メダルＭなどの遊技媒体を計数する計数装置と、遊技媒体を払い出す（貸出す）払出装置と、が並設されていてもよい。
【０１２７】
また、前記実施例では、装置ユニットの一例として、紙幣識別ユニット１８０、制御ユニット１８１、払出ユニット１８２、計数ユニット１９０を適用した形態を例示したが、本発明はこれに限定されるものではなく、装置ユニットは、上記以外の装置ユニット（例えば、電源装置を含む電源ユニット１９８や、会員カードやビジターカードを読取り可能な読取装置を含む読取ユニットや、表示装置を含む表示ユニット等、他の種々の装置を含む装置ユニットも適用可能である。
【０１２８】
また、前記実施例では、電気部品の一例として、中継器２３０と電源ユニット１９８を適用した形態を例示したが、本発明はこれに限定されるものではなく、紙幣識別ユニット１８０、制御ユニット１８１、払出ユニット１８２及び計数ユニット１９０のうちの少なくとも一のユニットや、他の種々の電気部品も適用可能である。すなわち、遊技島１０００に設けられた装置や遊技機に設けられた装置と配線接続するための接続端子（コネクタやリード線など）を備える基板や、遊技島１０００に設けられるメダル回収装置１１００や紙幣回収装置９００と接続するための接続器、ホルダ１０１に設けられる他の装置ユニットと配線接続するための接続器等を含む。
【０１２９】
また、前記実施例では、電気部品としての中継器２３０は、背板１０１Ｅの前面側に取付けた状態において、背面側の複数の基板側コネクタＫＣＮ２が開口２２２を介して背板１０１Ｅの上板部２２１Ａよりも背面側に配置されるようになっていたが、取付けた状態において中継基板２３１や前面側の基板側コネクタＫＣＮ１も背板１０１Ｅの背面側に配置するようにしてもよい。
【０１３０】
また、電気部品としての電源ユニット１９８は、支持板２７０Ａ，２７０Ｂの段部２７１に設置した状態において、上面側の複数の電源側コネクタＹＣＮ３が背板１０１Ｅよりも背面側に配置されるようになっていたが、電源側コネクタＹＣＮ３を含むユニット全体が背板１０１Ｅの背面側に配置されるようにしてもよい。つまり、電気部品は、その少なくとも一部がホルダ１０１の背面側からでしか確認したり手で触れることができない状態で設けられていればよい。さらに、電気部品の一部だけでなく、電気部品の全体が背板１０１Ｅの背面側に配置されるようにしてもよい。さらに、電源側コネクタＹＣＮ３だけでなく、例えば、電気部品に設けられるスイッチ、制御回路、電子部品、表示装置などが背板１０１Ｅの背面側に配置されるようにしてもよい。
【０１３１】
また、前記実施例では、電気部品としての中継器２３０や電源ユニット１９８は、ホルダ１０１に配置した状態で装置ユニットを挿入することで該装置ユニットとコネクタを介して電気的に接続されるようになっていたが、本発明はこれに限定されるものではなく、電気部品と装置ユニットそれぞれの接続端子（例えば、リード線など）が接触して電気的に接続されるものであってもよい。
【０１３２】
また、前記実施例では、ホルダ部の一例として、前面が開口する箱状に形成されたホルダ１０１を適用した形態を例示したが、本発明はこれに限定されるものではなく、例えば、フレーム部材等により形成されていてもよいし、前面と背面が開口する枠状に形成されていてもよい。
【０１３３】
また、前記実施例では、ホルダ１０１の背面開口を閉鎖するように板状の背板１０１Ｅが設けられていたが、本発明はこれに限定されるものではなく、ホルダ１０１に前側から挿入され保持された装置ユニットよりも背面側に配置されるものであれば、ホルダ１０１の背面開口よりも前方に配置されていてもよい。
【０１３４】
また、前記実施例では、電気部品としての中継器２３０は、ホルダ１０１の背板１０１Ｅに対し前方から取外し可能に取付けられていたが、本発明はこれに限定されるものではなく、電気部品が背板１０１Ｅの一部または全部と一緒にホルダ１０１の前方へ取外し可能に取付けられていてもよい。
【０１３５】
また、電気部品は、ホルダ１０１の背板１０１Ｅから前方へ取外し可能に取付けられていなくても、例えば、背板１０１Ｅから完全に分離できなくても、スライド部材等により前方へ引き出し可能に設けられていてもよい。さらには、背板１０１Ｅに対して一辺を中心として回動可能に設けられ、手前に回動させることにより背面側が前面側に露呈するように設けられていてもよい。
【０１３６】
また、前記実施例では、遊技媒体の一例としてメダルが適用されていたが、球状の遊技球（遊技球）を適用してもよい。また、遊技機の一例としてスロットマシン１が適用されていたが、遊技媒体として遊技球を用いて遊技を行うパチンコ遊技機を適用してもよい。
【０１３７】
また、前記実施例では、メダル貸出機１００が設置される遊技場としてスロットマシン１やパチンコ機等が設置される遊技場を例示しているが、遊技場はゲームセンタなどであってもよい。
【符号の説明】
【０１３８】
１              スロットマシン
１００          メダル貸出機
１０１          ホルダ
１８１          制御ユニット
１８２          払出ユニット
１９０          計数ユニット
１９８          電源ユニット
２３０          中継器
５００          カード管理コンピュータ
５４０          ホールコンピュータ
５５０          メダル管理コンピュータ
【図１】
0006716265.tif 000002
【図２】
0006716265.tif 000003
【図３】
0006716265.tif 000004
【図４】
0006716265.tif 000005
【図５】
0006716265.tif 000006
【図６】
0006716265.tif 000007
【図７】
0006716265.tif 000008
【図８】
0006716265.tif 000009
【図９】
0006716265.tif 000010
【図１０】
0006716265.tif 000011
【図１１】
0006716265.tif 000012
【図１２】
0006716265.tif 000013